(57)【要約】【課題】光ディスク記録装置において、的確に温度情報を取得し、効率的に動作制御を行うことが可能となる。【解決手段】温度センサ１２を光ピックアップ１１に設け、より光ディスク１４への記録動作が行われる場所に近いところで温度をモニターする。温度が動作許容範囲を超えた場合、書き込みを停止する。【選択図】  図１
2005025832.tif 000002
【特許請求の範囲】
【請求項１】
光ピックアップと、
前記光ピックアップに設けられた温度センサと、
前記光ピックアップに対して記録データを出力する出力手段と、
前記温度センサからの信号に基づき、前記出力手段の動作を制御する制御手段とを具備することを特徴とする光ディスク記録装置。
【請求項２】
前記制御手段は更に、前記温度センサからの信号により、温度が当該光ディスク記録装置の動作許容範囲外であるかどうかを判別する判別手段を具備することを特徴とする請求項１記載の光ディスク記録装置。
【請求項３】
前記制御手段は、前記判別手段が動作許容範囲外であると判別した場合、前記出力手段からの記録データの出力を停止させることを特徴とする請求項２記載の光ディスク記録装置。
【請求項４】
前記光ディスク記録装置は、前記制御手段が記録データの出力を停止させた後も引続き光ディスクの回転を継続させることを特徴とする請求項３記載の光ディスク記録装置。
【請求項５】
光ピックアップと、前記光ピックアップに設けられた温度センサと、前記光ピックアップ対して記録データを出力する出力手段と、前記温度センサからの信号により、温度が所定範囲外にあるかどうかを判別する判別手段と、この判別手段が、前記所定範囲外にあると判別した場合に、前記出力手段からの記録データの出力を停止させる制御手段とを具備した光ディスク記録装置と、
前記光ディスク記録装置との間でデータを授受するインタフェース部を有し、このインタフェース部を介して前記光ディスク記録装置から記録データの送信停止要求を受けた場合、前記光ディスク記録装置に対する記録データの送信を停止することを特徴とする情報処理装置。
【発明の詳細な説明】
【０００１】
【発明の属する技術分野】
この発明は、光ディスク記録装置及び、この光ディスク記録装置を有する情報処理装置に係わり、特に、光ディスク記録装置の動作制御のための温度情報の取得に関する。
【０００２】
【従来の技術】
近年、ＣＤ−ＲやＣＤ−ＲＷ、ＤＶＤ−ＲＡＭといった記録可能な光ディスクの普及が著しい。これら光ディスクはその記録容量の大きさから、ノート型のパーソナルコンピュータ（以下ノートＰＣと称する）等の記録装置として用いられることが増えている。ノートＰＣでもこれら光ディスクに情報を記録させるための、光ディスクドライブといった光ディスク記録装置が内蔵されたものが増えている。
【０００３】
その一方で、ノートＰＣは、ユーザが持ち運ぶことを想定しているため、小型化の要望が高い。この小型化のためには、ノートＰＣにおける各種部品の実装密度を上げなければならない。ノートＰＣには、ＣＰＵをはじめ、各種部品が実装されているが、それらの部品から熱が発生する。実装密度を上げると、部品からの熱により、ノートＰＣ内の温度が上昇しやすくなる。ノートＰＣ内の部品は、光ディスク記録装置も含めて、それぞれ、動作が保証されている温度範囲があるが、その温度範囲に収まるようにノートＰＣ内の熱拡散や冷却に工夫が必要となる。なお、光ディスク記録装置の動作保証温度範囲は、記録メディアである光ディスクへの書き込み動作が正確に行えるかどうかによっている。現在のノートＰＣ分野において、ノートＰＣ内の部品の発熱をいかにして処理するかは大きな技術的課題になっている。
【０００４】
ＣＰＵの場合は、ノートＰＣが動作している間はＣＰＵも動作をしているため、発熱が続く。一方、光ディスク記録装置が動作するのは、光ディスクに対して情報を記録する時である。このため、ノートＰＣなどのコンピュータシステムにおける光ディスク記録装置の動作する時間の割合は、システムの動作する時間に対して、大幅に小さい。よって、光ディスク記録装置周辺の温度が、この光ディスク記録装置の動作保証温度範囲よりも高くなる可能性は低い。しかし、ノートＰＣの安定動作のためには、万が一の場合に備えて、充分な冷却能力を持つ冷却装置を設けることがあった。このような対応はコストの増加を招き、製品価格の上昇につながってしまう。
【０００５】
このような、充分な冷却能力を持つ冷却装置を設ける代わりに、光ディスク記録装置の周辺温度を温度センサでモニターして、その動作制御を行うという方法も提案されている。（例えば特許文献１参照）。
【０００６】
【特許文献１】
特開２００２−１６３８５４公報（第３−５頁  図１）
【０００７】
【発明が解決しようとする課題】
上述したような従来技術では、光ディスク記録装置の周辺の温度をモニターしているため、光ディスクへの書き込み動作が実際に行われている部分に近いところをモニターしているわけではなく、温度情報の取得という観点からは問題があった。上述したように、光ディスク記録装置の動作保証温度範囲はメディアへの書き込みが正確に行えるかどうかによっているため、温度情報の取得が的確に行えないと、ノートＰＣでの動作制御に影響を及ぼしかねない。
【０００８】
本発明は、的確に温度情報を取得することができ、効率的に動作制御を行うことができる光ディスク記録装置を提供することを目的とする。
【０００９】
【課題を解決するための手段】
この発明は、光ディスク記録装置であって、光ピックアップと、前記光ピックアップに設けられた温度センサと、前記光ピックアップに対して記録データを出力する出力手段と、前記温度センサからの信号に基づき、前記出力手段の動作を制御する制御手段とを具備することを特徴とする。
【００１０】
このような構成によれば、的確に温度情報を取得することができ、効率的に動作制御を行うことが可能となる。
【００１１】
また、この発明は、情報処置装置であって、光ピックアップと、前記光ピックアップに設けられた温度センサと、前記光ピックアップ対して記録データを出力する出力手段と、前記温度センサからの信号により、温度が所定範囲外にあるかどうかを判別する判別手段と、この判別手段が、前記所定範囲外にあると判別した場合に、前記出力手段からの記録データの出力を停止させる制御手段とを具備した光ディスク記録装置と、前記光ディスク記録装置との間でデータを授受するインタフェース部を有し、このインタフェース部を介して前記光ディスク記録装置から記録データの送信停止要求を受けた場合、前記光ディスク記録装置に対する記録データの送信を停止することを特徴とする。
【００１２】
このような構成によれば、的確に温度情報を取得することができ、効率的に動作制御を行うことが可能となる。
【００１３】
【発明の実施の形態】
以下、図面を参照して本発明の各実施形態について以下の通り説明する。図１は本発明の光ディスク記録装置の構成を示すブロック図である。光ディスク記録装置１は、内部にシステム制御部２をはじめとする様々な機能部を具備し、Ｉ／Ｆ制御部７を介してホストコンピュータ２１のＩ／Ｆ制御部２２と接続している。また、光ディスク１４に対してデータの記録を行う光ピックアップ１１を内蔵している。
【００１４】
システム制御部２は、光ディスク記録装置１内のシステム全体を統括制御する制御部であり、ディスク駆動制御部３、ピックアップ制御部４、ＲＯＭ５、ＲＡＭ６、Ｉ／Ｆ制御部７、信号処理部９と接続している。ディスク駆動制御部は。光ディスクの回転を制御するための制御部であり、モータ１０と接続している。ピックアップ駆動制御部４は、光ディスク１４にデータを記録するため、光ピックアップ１１の位置を制御するための制御部である。
【００１５】
ＲＯＭ５は不揮発性のメモリであり、システム制御部２を動作させるためのシステムプログラムを格納している。ＲＡＭ６は揮発性のメモリであり、システム制御部２の動作時にシステムプログラムの命令やデータを一時記憶するためのワーキングエリアとして用いられる。
【００１６】
Ｉ／Ｆ制御部７は、上述した通り、ホストコンピュータ２１のＩ／Ｆ制御部２２と接続し、ホストコンピュータ２１との間でのデータやコマンドなどの情報のやり取りを行うインタフェース（Ｉ／Ｆ）としての役割を果たす。バッファメモリ８はＩ／Ｆ制御部７と接続しており、ホストコンピュータ２１から送信されたデータを格納するバッファとしての機能を実現する。このバッファメモリ８は信号処理部９と接続しており、信号処理部９に対して、データを送出する。
【００１７】
信号処理部９は光ディスク１４に対して記録するためのデータを処理する。また、光ピックアップ１１に内蔵されている温度センサ１２から信号を受信し、その信号に基づいて温度が動作保証範囲内にあるかどうか、すなわち動作許容範囲内の温度であるかどうかを判別して、動作許容範囲内にない場合は、光ピックアップ１１へのデータ送出を停止する。
【００１８】
モータ１０は上述したディスク駆動制御部３に接続されており、ディスク駆動制御部３からの信号に基づいて、ディスクテーブル１３を回転させる。ディスクテーブル１３は光ディスク１４を設置するためのテーブルであり、モータ１０に接続されて、光ディスク１４とともに回転する。
【００１９】
光ピックアップ１１は、ディスクテーブル１３上に設置されて回転している光ディスク１４に対してデータの記録を行うためのものである。本発明の実施形態においては、光ピックアップ１１は温度センサ１２を内蔵している。温度センサ１２が光ピックアップ１１に内蔵されていることで、より光ディスク１４への書き込み動作が行われている位置に近いところの温度をモニターすることが可能となり、的確な温度情報の取得が可能となる。
【００２０】
図２は本発明の光ディスク記録装置の、光ピックアップ１１の構成を示す平面図である。シャーシ１０１には、第一の光源ユニット２０１が取り付けられている。この第一の光源ユニット２０１は、波長６５０ｎｍのレーザビームを出射するＤＶＤ用の光源である。そして、この第一の光源ユニット２０１内には、ディスクからの反射光がホログラム３０１によって回折されて照射され、再生信号、フォーカシングエラー信号及びトラッキングエラー信号を得るために光電変換を行う光検出器（図示せず）が設けられている。また、シャーシ１０１には、第二の光源ユニット２０２が取り付けられている。この第二の光源ユニット２０２は、波長７８０ｎｍのレーザ光を出射するＣＤ用の光源である。
【００２１】
このように、光ピックアップ１１は、第一の光源（ＤＶＤ用）と、第二の光源（ＣＤ用）とを有しており、各光源からの光は、図２の光学系を介して対物レンズ３０７から光ディスクの反射層（情報記録面）に対して照射され、書き込み動作が実行される。この光ピックアップ１１は、温度センサ１２を対物レンズ３０７近傍に有しており、よりディスク１４に近いところで温度を検出することができる。
【００２２】
図２の光学系について、以下の通り説明する。第一の光源ユニット２０１から出射されたレーザ光は、ホログラム３０１を介してダイクロイックＰＢＳ３０２に入射する。第一の光源ユニット２０１からのレーザ光はダイクロイックＰＢＳ３０２を直進した後、コリメータレンズ３０３で並行光となり、チルト補正素子３０４及びλ／４板（偏光板）３０５をそれぞれ介して、反射ミラー（プリズム）３０６に入射する。この反射ミラー３０６で反射された光は、反射ミラー３０６の上部に配置された対物レンズ３０７に入射する。この対物レンズ３０７で合焦された光は、対物レンズ３０７の上部に位置する光ディスク１４の情報記録面（図示せず）に照射される。
【００２３】
第二の光源ユニット２０２から出射されたレーザ光は、λ／２板３１１を介してダイクロイックＰＢＳ３０２に入射する。第二の光源ユニット２０２からのレーザ光は、ダイクロイックＰＢＳ３０２の内部で反射されて方向変換され、コリメータレンズ３０３に入射する。コリメータレンズ３０３に入射したレーザ光は、並行光となり、チルト補正素子３０４及びλ／４板（偏光板）３０５をそれぞれ介して、反射ミラー（プリズム）３０６に入射する。この反射ミラー３０６で反射された光は、反射ミラー３０６の上部に配置された対物レンズ３０７に入射する。この対物レンズ３０７で合焦された光は、対物レンズ３０７の上部に位置する光ディスク１４の情報記録面（図示せず）に照射される。
【００２４】
光ピックアップは、ディスクテーブル１３に対して所定の位置関係に設けられたガイドレール６００に沿って、光ディスク情報記録面に形成されたトラックの接線方向と直行する方向（光ディスクの半径方向すなわちトラッキング制御方向）に移動可能である。光ヘッド装置は、リニアモータ（図示せず）によりガイドレール６００上を往復移動される。温度センサ１２は、光ヘッド装置１００上に設けられているので、この光ヘッド装置が移動しても、常に対物レンズ３０７の近傍に位置している。
【００２５】
図３はこの光ディスク記録装置における信号処理部９の構成を示すブロック図である。通常、バッファメモリ８から送信されてくるデータ信号はこの信号処理部９の中のライトデータ制御回路９１を介してバッファアンプ９２に送出される。バッファアンプ９２でデータ信号は増幅されて光ピックアップ１１に送出される。光ピックアップ１１はこのデータ信号をディスク１４に記録する。
【００２６】
光ピックアップ１１に設けられている温度センサ１２は信号線を介して信号処理部９へ接続されており、信号処理部９に内蔵されたバッファアンプ９３へ検出信号を出力する。この検出信号は温度に応じたレベルの信号出力であり、バッファアンプ９３は検出信号を増幅して検出回路９４に出力する。検出回路９４は、バッファアンプ９３から出力された検出信号に基づき、検出信号が所定の基準値レベルを超えたかどうか、即ち、温度センサ１２の検出温度が光ディスク動作保証温度の上限を超えたかどうかを判別する。なお、安定した動作を求める場合、動作保証温度の上限よりも低めに設定することも、もちろん可能である。
【００２７】
ここで、所定の温度を超えたと検出回路９４が判別した場合、検出回路９４はライトデータ制御回路９１にライトゲート信号を出力する。ライトデータ制御回路９１は、ライトゲート信号によりライトデータの出力を制御する機能を有している。検出回路９４からのライトゲート信号を受けた場合、ライトデータ制御回路９１はバッファアンプ９２へのデータ出力を停止する。
【００２８】
なお、このとき、併せてこの信号処理部９からシステム制御部２に対して、温度センサ１２が高温を検出した旨を通知する。システム制御部２はこの通知を受けて、Ｉ／Ｆ制御部７を介し、ホストコンピュータ２１に対して、データの記録を一旦停止するので、ホストコンピュータ２１からの記録データの送信を一時的に停止するように通知する。これにより、バッファメモリ８のオーバーフローを回避することができる。
【００２９】
図４に本発明の実施形態である光ディスク記録装置における動作制御のフローチャート図を示す。まず、ホストコンピュータ２１から、Ｉ／Ｆ制御部２２を介して、光ディスク記録装置１に対してライト開始の通知とデータの転送を行い、これを受けて光ディスク記録装置１は光ディスク１４に対してライトを開始する（ステップＳ１０１）。ライト動作を行っている間、温度センサ１２から検出信号を信号処理部９に対して入力する（ステップＳ１０２）。
【００３０】
入力を受けた信号処理部９は、この検出信号が許容範囲内にあるかどうかを判別する（ステップＳ１０３）。ここで、許容範囲内にあると判別した場合、信号処理部は光ピックアップ１１への記録データの出力を続け、光ピックアップ１１から光ディスク１４へのライト動作が続けられる（ステップＳ１０５）。続いて、システム制御部２が、記録データを全て記録したかどうか、すなわちライト動作を終了させるかどうかを判別する（ステップＳ１０６）。システム制御部２がライト動作を終了させると判別した場合、光ディスク記録装置１におけるライト動作は終了する（ステップＳ１０６のＹｅｓからステップＳ１０７）。なお、記録すべきデータがまだ残っている場合、ライト動作を継続する（ステップＳ１０６のＮｏからステップＳ１０２）。
【００３１】
ステップＳ１０３で、許容範囲内にないと判別した場合、信号処理部９は上述したように、信号処理部９内のライトデータ制御回路に対するライトゲート信号により、光ピックアップ１１に対する記録データの出力を停止する（ステップＳ１０３のＮｏからステップＳ１０４）。記録データの出力を停止した際に、上述の通り、ホストコンピュータ２１に対して、記録データの送信を一時的に停止するように通知する。このようなライト動作の停止については、データバッファ内のデータ量が基準値を下回ったことを検知してライト動作を停止し、また、データバッファ内のデータ量が基準値を上回ったことを検知してライト動作を再開（書き継ぎ）する機能、いわゆるバッファアンダーランエラー防止機能を利用することができる。
【００３２】
なお、光ディスク記録装置１内のモータ１０は停止せずに回転を続け、空冷の効果を得るようにする。ステップＳ１０４で記録データの出力を停止した後、再び、ステップＳ１０２に戻り、温度センサからの検出信号の入力により、許容範囲内の温度になるまで、このループ（ステップＳ１０２、ステップＳ１０３、ステップＳ１０４）を繰り返す。
【００３３】
上述の通り、光ピックアップ１１に設けられた温度センサ１２により、より的確に温度を検出して、その検出結果に応じた光ディスク記録装置の制御を行うことが可能となる。
【００３４】
なお、上述の実施形態において、光ディスクに対する記録について説明をしているが、もちろん、この光ディスク記録装置がディスクからのデータ読み出し動作を行うようにすることも可能である。
【００３５】
【発明の効果】
以上説明したように、この発明によれば、光ディスク記録装置の温度情報をより的確に取得することができ、効率的に動作制御を行うことが可能となる。
【図面の簡単な説明】
【図１】本発明の実施形態に係わる光ディスク記録装置の構成を示すブロック図。
【図２】本発明の実施形態に係わる光ディスク記録装置の光ピックアップの部分を示す上面図。
【図３】本発明の実施形態に係わる光ディスク記録装置の信号処理部の構成を示すブロック図。
【図４】本発明の実施形態に係わる光ディスク記録装置の動作制御の流れを示すフローチャート図。
【符号の説明】
１…光ディスク記録装置、２…システム制御部、３…ディスク制御部、４…ピックアップ駆動制御部、５…ＲＯＭ、６…ＲＡＭ、７…Ｉ／Ｆ制御部、８…バッファメモリ、９…信号処理部、１０…モータ、１１…光ピックアップ、１２…温度センサ、１３…ディスクテーブル、１４…光ディスク、２１…ホストコンピュータ、２２…Ｉ／Ｆ制御部、１０１…シャーシ、２０１…第一の光源ユニット、２０２…第二の光源ユニット、３０１…ホログラム、３０２…ダイクロイックＰＢＳ、３０３…コリメータレンズ、３０４…チルト補正素子、３０５…λ／４板（偏光板）、３０６…反射ミラー、３０７…対物レンズ、６００…ガイドレール
【図１】
2005025832.tif 000003
【図２】
2005025832.tif 000004
【図３】
2005025832.tif 000005
【図４】
2005025832.tif 000006